(57)【要約】【課題】  ガラスやプラスチック等の透明基材を用いて、宝玉と同じような深みのある、光透過性メッキを有する装飾体を提供すること。【解決手段】  装飾体２を、光透過性再帰反射メッキシート７で構成する。装飾体２の裏面６に光透過性再帰反射メッキシート７を設ける事により、(図１)の所望の４の光の反射５を可能にしつつ、(図１)からの光源１の光透過性も可能にする。光透過性再帰反射メッキシート７(図１)を設けることによって、装飾体は所望の色相を呈する事ができるため、遊色効果を楽しむことができる 。装飾体１の表面にはブリリアントカット面８からの反射光による色模様が浮き上がった感じに見えると共に、反射光による色模様が見る方向や見る角度を変えることで変化に富んだ色模様となり、変貌自在の遊色効果を楽しむことができる。 【選択図】図１
2011104974.tif 000002
【特許請求の範囲】
【請求項１】
ガラス又はプラスチック、等の透明基材３からなり、透明基材の裏面を略平面に
形成すると共に透明基材の裏面６に光透過性再帰反射メッキシート７を設けると共に、
前記透明基材3の表面９にブリリアントカット面８を形成した事により所望の波長域の光を反射しつつ、
裏面６からの光源1(LED,電球光、蛍光灯、ネオン菅、太陽光等)の光透過性を可能にするように光透過性再帰反射メッキシート7を設けたことを特徴とする請求項１
又は２又は３又は４又は５又は６記載の装飾体。  
【請求項２】
前記透明基材の裏面を略平面に形成すると共に、光透過性再帰反射シートメッキ７を設けたことを特徴とする請求項１又は２又は３又は４又は５又は６記載の装飾体。  
【請求項３】
前記透明基材3の表面９の波長域の光を反射させつつ、裏面６からの所望の光源1(LED,電球光、蛍光灯、ネオン菅、太陽光等)を透過させる光透過性再帰反射メッキシート7を設けたことを特徴とする請求項１又は２又は３又は４又は５又は６記載の装飾体。  
【請求項４】
前記透明基材の表面９にブリリアントカット面８を形成したことを特徴とする請求項１又は２又は３又は４又は５又は６記載の装飾体。  
【請求項５】
前記透明基材の表面９と裏面６とで異なった波長域の光を反射する事を特徴とする請求項１又は２又は３又は４又は５又は６記載の装飾体。  
【発明の詳細な説明】
【技術分野】
【０００１】
本発明は、ガラスやプラスチック等の透明基材を用いて、宝玉と同じような深みのある、光透過性メッキを有する装飾体を提供すること。
【背景技術】
【０００２】
従来、遊具、家具、電化製品、耳飾りやペンダント、指輪、ブローチ等の物体に固着される装飾体として、高価な宝玉を模造したものがあるが、これらは概ね透明のガラス玉やプラスチック玉に顔料を混入したり、玉の裏面を塗装、メッキしたものである。
【０００３】
しかしながら、これらのガラス玉やプラスチック玉にあっては、特定の色相の光りが単調に反射されるだけで光透過性がない。
また、光透過性にさせる為、裏面の塗装、メッキ加工せず製造すれば、光透過性は得られるが、ただの透明基材になり上方からの入射光が所望の光を反射することができないため、宝玉のような高級感を出すことができなかった。
【０００４】
そこで、本発明は、安価なガラスやプラスチック等の透明基材を用いて、宝玉と同じような深みのある、図1の上方からの入射光４(LED,電球光、蛍光灯、ネオン菅、太陽光、炎、等)が所望の光を反射し、また光透過性も可能にした、変化に富んだ色相を呈する光透過性メッキを有する装飾体を提供することを目的とする。
【先行技術文献】
【特許文献】
【０００５】
【特許文献１】特開平１１−１３３２０３
【発明の概要】
【発明が解決しようとする課題】
【０００６】
解決しようとする問題点は、ガラス玉やプラスチック玉にあっては、特定の色相の光りが単調に反射されるだけで光透過性がない点である。
そこで、本発明は、安価なガラスやプラスチック等の透明基材を用いて、宝玉と同じような深みがありながら、光透過性メッキを有する装飾体を提供することを目的とする。
【課題を解決するための手段】
【０００７】
即ち、上記課題を解決するために、本発明の請求項１に係る装飾体の特徴は、ガラス又はプラスチックの透明基材からなり、図1の透明基材の少なくとも表面に多面体のカット面、図2のブリリアントカット面8を形成すると共に、前記透明基材の表面又は裏面の少なくとも一方の面に所望の波長域の図1の入射光４(LED,電球光、蛍光灯、ネオン菅、太陽光、炎、等)を反射するように裏面に光透過性再帰反射メッキシート７を設けたことにある。
【０００８】
また、本発明の請求項１又は２又は３又は４又は５又は６記載の装飾体に係る装飾体の特徴は、前記透明基材、図1の裏面に光透過性再帰反射メッキシート７を設けると共に、表面の波長域の入射光４(LED,電球光、蛍光灯、ネオン菅、太陽光、炎、等)を反射させつつ、裏面６からの所望の光源1(LED,電球光、蛍光灯、ネオン菅、太陽光、炎、等)を透過させる光透過性再帰反射メッキシート7を設けたことにある
【０００９】
また、本発明の請求項１又は２又は３又は４又は５又は６記載の装飾体に係る装飾体の特徴は、前記透明基材の裏面を略平面に形成し光透過性再帰反射メッキシート7を設けたことにある。
【００１０】
また、本発明の請求項１又は２又は３又は４又は５又は６記載の装飾体に係る装飾体の特徴は、前記透明基材の表面にブリリアントカット面８を形成したことにある。
【００１１】
更に、本発明の請求項１又は２又は３又は４又は５又は６記載の装飾体に係る装飾体の特徴は、前記透明基材の表面と裏面とで異なった波長域の入射光４(LED,電球光、蛍光灯、ネオン菅、太陽光、炎、等)を反射する光透過性再帰反射メッキシート７を設けたことにある。
【発明の効果】
【００１２】
以上、上記説明したように本発明に係る装飾体によれば、装飾体に透明基材を用い、透明基材の表面に所望の波長域の入射光４(LED,電球光、蛍光灯、ネオン菅、太陽光、炎、等)を反射するように透明基材の表面にはブリリアントカット面８設けたため、装飾体が所望の色相を呈することができる。また、この透明基材の裏面に光透過性再帰反射メッキシート７を設けたことで、
装飾体の表面にはブリリアントカット面８からの入射光４(LED,電球光、蛍光灯、ネオン菅、太陽光、炎、等)を反射できると共に、裏面からの光源 1(LED,電球光、蛍光灯、ネオン菅、太陽光、炎、等)の透過も可能になる。よって遊色効果を楽しむことができる。
本発明で用いる光源はLED,電球光、蛍光灯、ネオン菅、太陽光、炎、等である。
【００１３】
また、透明基材の表面９にブリリアントカット面８を形成した事により、このカット面からのあらゆる角度からの反射率を大幅にアップさせることができ、より一層鮮やかな色模様を呈することができる。
【００１４】
この透明基材の少なくとも裏面９にブリリアントカット面８を形成したことで、装飾体の表面９にはカット面からの反射光による色模様が浮き上がった感じに見えると共に、反射光による色模様が見る方向や見る角度を変えることで変化に富んだ色模様となり、変貌自在の遊色効果を楽しむことができる。
【００１５】
また、透明基材の表面９をブリリアントカット面８に形成することで、装飾体の表面９が渋く反射して高級感のある色相を呈することができる。
【図面の簡単な説明】
【００１６】
【図１】図１は装飾体の実施方法を示した側面説明図である。
【図２】上記図１における装飾体の上面図である。
【図３】上記図１における装飾体の裏面図である。
【図４】上記装飾体をイルミネーションＬＥＤランプに応用する為、上記装飾体の実施例１をアクリルパイプ１２に固定した側面図である。
【図５】上記装飾体の実施例１をアクリルパイプ１２に固定し、イルミネーションＬＥＤランプに応用した例を示す側面図である。
【図６】上記装飾体の実施例１をイルミネーションＬＥＤランプに応用した例をクリスマスツリー１０に応用した例を示す側面図である。
【図７】上記装飾体の実施例１を子供用  遊具のおもちゃカメラに応用した例を示す側面図である。
【図８】上記装飾体の実施例１を子供用  遊具のおもちゃカメラに応用した例を示す横断面図である。
【発明を実施するための形態】
【００１７】
以下、添付図面に基づいて本発明に係る装飾体の実施例を詳細に説明する。図１、図２、図３は、本発明に係る装飾体の第１実施例を示したものである。
この実施例において、遊具、家具、電化製品、耳飾りやペンダント、指輪、ブローチ等の物体の枠に固着される装飾体2は、ガラス、プラスチック等の透明基材３からなる。
透明基材3の表面９は曲面形状をなし、ブリリアントカットに形成されており光沢を持たせるために研磨される。透明基材３の裏面６
は略平面状に形成されており、この平面に光透過性再帰反射メッキシート７を設ける。なお、
透明基材3の形状は円、楕円、長方形、三角形等様々に設定される。また、透明基材３の表面も曲面形状に限られることなく、筋状又はその他の多面
体形状にカットされていてもよいことは勿論である。
【００１８】
次に、上記構成からなる装飾体の発光原理について説明する。図１に示したように、装飾体の表面９に上方から入射光４(LED,電球光、蛍光灯、ネオン菅、太陽光、炎、等)が入射される。
透明基材３の表面９に設けたブリリアントカット面８によって、入射光４(LED,電球光、蛍光灯、ネオン菅、太陽光、炎、等)のうち、まず所望の波長域の光が反射される。次に、表面９を通過した光は、
透明基材３内を進行する。そして、光透過性再帰反射メッキシート７により、入射光４(LED,電球光、蛍光灯、ネオン菅、太陽光、炎、等)のうち、所望の波長域の光が反射される。透明基材３内を進行した入射光４(LED,電球光、蛍光灯、ネオン菅、太陽光、炎、等)は、光透過性再帰反射メッキシート７により反射率をアップさせて装飾体の表面に到達する光になる。
このように反射光、が相俟って装飾体２が光り輝く。
【００１９】
また、この実施例では、透明基材３の表面９にブリリアントカット面８を形成してあるので、反射光５は、
見る方向や見る角度を変えると、強く反射される光の波長がシフトし、結果的に装飾体の表面に変化に富んだ色模様があらわれ、
変貌自在の遊色効果を楽しむことができる。装飾体の表面は高級感のある色相を呈し、鮮やかな色彩を楽しむことができる。
【００２０】
図４は、本発明に係る光透過性メッキを有する、上述の実施例における装飾体をアクリルパイプ１２に固定したのち、
これをイルミネーションＬＥＤランプ１１に固定するためアクリルパイプ１２に応用した例を示したものである。
【００２１】
図５は、 図４のアクリルパイプ１２に固定した本発明に係る光透過性メッキを有する装飾体を、図６のクリスマスツリー１０のイルミネーションに使われるイルミネーションＬＥＤランプ１１
に応用した例を示したものである。
【００２２】
図６は、 図４及び図５のアクリルパイプ１２に固定した本発明に係る光透過性メッキを有する装飾体を、イルミネーションＬＥＤランプ１１に固定し、
クリスマスツリー１０に応用した例を示したものである。
【００２３】
図４及び図５及び図6に示したクリスマスツリー１０のイルミネーションＬＥＤランプでは、上述の実施例における装飾体２を図６のアクリルパイプ１２に固定したのち、
これをイルミネーションＬＥＤランプ１１に固定することでクリスマスツリー１０の装飾体として使用することができる。
また、この装飾体を使用することで昼、夜、ダイヤモンドのように鮮やかに輝くイルミネーションＬＥＤランプ１１として使用することができる。
なお、この、本発明に係る光透過性メッキを有する装飾体は、イルミネーションＬＥＤランプ１１使用されるに限られず、その他様々な遊具等に応用することができる。
【００２４】
図５及び図６は、上述に示したように、本発明に係る光透過性メッキを有する装飾体を、子供遊具のおもちゃのカメラに応用した例を示したものである。
また、この装飾体を使用することで、子供遊具のおもちゃながら、昼、夜、ダイヤモンドのように鮮やかに輝き
裏面から光源 1(LED,電球光、蛍光灯、ネオン菅、太陽光、炎、等)を本発明に係る光透過性メッキを有する装飾体の裏面にセットすることで、
光源 1(LED,電球光、蛍光灯、ネオン菅、太陽光、炎、等)の透過も可能になる。よってピカピカ光る遊色効果を楽しむことができる。
子供遊具のおもちゃとして使用することができる。
【００２５】
図６は、上述に示したように、本発明に係る光透過性メッキを有する装飾体を、子供遊具のおもちゃのカメラに応用した例を
真ん中で割って横側面から説明した断面図を示したものである。
なお、本発明に係る光透過性メッキを有する装飾体は、上述に示した物に使用されるに限られず、その他様々な物、等に応用することができる。
【００２６】
透明基材3の表面９及び裏面６には、所望の波長域の光を反射するように光透過性再帰反射メッキシート７が設けられる。
【符号の説明】
【００２７】
1  光源  (LED,電球光、蛍光灯、ネオン菅、太陽光、炎、等)
2  装飾体
3  透明基材
4  入射光  (LED,電球光、蛍光灯、ネオン菅、太陽光、炎、等)
5  反射光
6  裏面
7  光透過性再帰反射メッキシート
8  ブリリアントカット面
9  表面
10 クリスマスツリー
11 イルミネーションＬＥＤランプ
12 アクリルパイプ
13 子供用  遊具のおもちゃカメラ  
14 コンセントプラグ
15 シャッターボタン
【図１】
2011104974.tif 000003
【図２】
2011104974.tif 000004
【図３】
2011104974.tif 000005
【図４】
2011104974.tif 000006
【図５】
2011104974.tif 000007
【図６】
2011104974.tif 000008
【図７】
2011104974.tif 000009
【図８】
2011104974.tif 000010